(57)【要約】【課題】シャツをエプロンやドレスなどの首掛けや肩掛けなどの吊下げ部を有する被服に仕立て直した被服やその縫製方法を提供すること。【解決手段】本発明では、シャツの襟と身頃とを分離し、左右反転させた身頃の上部に襟の左右先端部を直接的に又はカフスなどを介して間接的に接続して、シャツの身頃を前掛け部として利用するとともに襟を吊下げ部として利用する被服に仕立て直すことにした。また、シャツの袖を腰紐やポケットとして利用することにした。【選択図】図１
2009041120.tif 000002
【特許請求の範囲】
【請求項１】
シャツをエプロンやドレスなどの首掛けや肩掛けなどの吊下げ部を有する被服に仕立て直す縫製方法において、
シャツの襟と身頃とを分離し、左右反転させた身頃の上部に襟の左右先端部を直接的に又は間接的に接続して、シャツの身頃を前掛け部として利用するとともに襟を吊下げ部として利用する被服に仕立て直すことを特徴とする縫製方法。
【請求項２】
シャツをエプロンやドレスなどの首掛けや肩掛けなどの吊下げ部を有する被服に仕立て直す縫製方法において、
シャツの襟と身頃とカフスとを分離し、左右反転させた身頃の上部に襟の左右先端部をカフスを介して接続して、シャツの身頃を前掛け部として利用するとともに襟を吊下げ部として利用する被服に仕立て直すことを特徴とする縫製方法。
【請求項３】
シャツの袖を身頃から分離し、左右反転させた身頃の上側左右端部に接続して、シャツの袖を腰紐として利用することを特徴とする請求項１又は請求項２に記載の縫製方法。
【請求項４】
シャツの袖を中途部で切断し、切断した端部を縫合するとともに身頃の裏側に折り返して、シャツの袖をポケットとして利用することを特徴とする請求項１〜請求項３のいずれかに記載の縫製方法。
【請求項５】
シャツを仕立て直すことによって縫製したエプロンやドレスなどの首掛けや肩掛けなどの吊下げ部を有する被服において、
シャツの襟と身頃とを分離し、左右反転させた身頃の上部に襟の左右先端部を直接的に又は間接的に接続して、シャツの身頃を前掛け部として利用するとともに襟を吊下げ部として利用することを特徴とするエプロンやドレスなどの首掛けや肩掛けなどの吊下げ部を有する被服。
【請求項６】
シャツを仕立て直すことによって縫製したエプロンやドレスなどの首掛けや肩掛けなどの吊下げ部を有する被服において、
シャツの襟と身頃とカフスとを分離し、左右反転させた身頃の上部に襟の左右先端部をカフスを介して接続して、シャツの身頃を前掛け部として利用するとともに襟を吊下げ部として利用することを特徴とするエプロンやドレスなどの首掛けや肩掛けなどの吊下げ部を有する被服。
【請求項７】
シャツの袖を身頃から分離し、左右反転させた身頃の上側左右端部に接続して、シャツの袖を腰紐として利用することを特徴とする請求項５又は請求項６に記載のエプロンやドレスなどの首掛けや肩掛けなどの吊下げ部を有する被服。
【請求項８】
シャツの袖を中途部で切断し、切断した端部を縫合するとともに身頃の裏側に折り返して、シャツの袖をポケットとして利用することを特徴とする請求項５〜請求項７のいずれかに記載のエプロンやドレスなどの首掛けや肩掛けなどの吊下げ部を有する被服。
【発明の詳細な説明】
【技術分野】
【０００１】
本発明は、 エプロンやドレスなどの首掛けや肩掛けなどの吊下げ部を有する被服及びその縫製方法に関するものである。
【背景技術】
【０００２】
従来より、着古した被服を廃棄せずに別の被服に仕立て直して継続使用することが行われている。たとえば、特許文献１、２に開示されているように、和服をドレスやガウンに仕立て直すことが考案されている。
【０００３】
【特許文献１】実開昭６１−１９１４１２号公報
【特許文献２】実用新案登録第３１２０４３７号公報
【発明の開示】
【発明が解決しようとする課題】
【０００４】
ところが、シャツの構造的な特徴を有効利用してエプロンやドレスなどの吊下げ部を有する被服に仕立て直す縫製方法については考え出されていなかった。
【０００５】
そこで、本発明者は、シャツの構造的な特徴、具体的には、襟やカフスが他の部分よりも頑丈に作られていることに注目して、エプロンやドレスなどの吊下げ部を有する被服の特に強度が要求される吊下げ部にシャツの襟やカフスを利用する縫製方法を発明した。
【課題を解決するための手段】
【０００６】
請求項１に係る本発明では、シャツをエプロンやドレスなどの首掛けや肩掛けなどの吊下げ部を有する被服に仕立て直す縫製方法において、シャツの襟と身頃とを分離し、左右反転させた身頃の上部に襟の左右先端部を直接的に又は間接的に接続して、シャツの身頃を前掛け部として利用するとともに襟を吊下げ部として利用する被服に仕立て直すことにした。
【０００７】
また、請求項２に係る本発明では、シャツをエプロンやドレスなどの首掛けや肩掛けなどの吊下げ部を有する被服に仕立て直す縫製方法において、シャツの襟と身頃とカフスとを分離し、左右反転させた身頃の上部に襟の左右先端部をカフスを介して接続して、シャツの身頃を前掛け部として利用するとともに襟を吊下げ部として利用する被服に仕立て直すことにした。
【０００８】
また、請求項３に係る本発明では、前記請求項１又は請求項２に係る本発明において、シャツの袖を身頃から分離し、左右反転させた身頃の上側左右端部に接続して、シャツの袖を腰紐として利用することにした。
【０００９】
また、請求項４に係る本発明では、前記請求項１〜請求項３のいずれかに係る本発明において、シャツの袖を中途部で切断し、切断した端部を縫合するとともに身頃の裏側に折り返して、シャツの袖をポケットとして利用することにした。
【００１０】
また、請求項５に係る本発明では、シャツを仕立て直すことによって縫製したエプロンやドレスなどの首掛けや肩掛けなどの吊下げ部を有する被服において、シャツの襟と身頃とを分離し、左右反転させた身頃の上部に襟の左右先端部を直接的に又は間接的に接続して、シャツの身頃を前掛け部として利用するとともに襟を吊下げ部として利用することにした。
【００１１】
また、請求項６に係る本発明では、シャツを仕立て直すことによって縫製したエプロンやドレスなどの首掛けや肩掛けなどの吊下げ部を有する被服において、シャツの襟と身頃とカフスとを分離し、左右反転させた身頃の上部に襟の左右先端部をカフスを介して接続して、シャツの身頃を前掛け部として利用するとともに襟を吊下げ部として利用することにした。
【００１２】
また、請求項７に係る本発明では、前記請求項５又は請求項６に係る本発明において、シャツの袖を身頃から分離し、左右反転させた身頃の上側左右端部に接続して、シャツの袖を腰紐として利用することにした。
【００１３】
また、請求項８に係る本発明では、前記請求項５〜請求項７のいずれかに係る本発明において、シャツの袖を中途部で切断し、切断した端部を縫合するとともに身頃の裏側に折り返して、シャツの袖をポケットとして利用することにした。
【発明の効果】
【００１４】
そして、本発明では、以下に記載する効果を奏する。
【００１５】
すなわち、本発明では、シャツをエプロンやドレスなどの首掛けや肩掛けなどの吊下げ部を有する被服に仕立て直すにあたり、エプロンやドレスなどの首掛けや肩掛けなどの吊下げ部を有する被服の特に強度が要求される吊下げ部にシャツの比較的頑丈に作られている襟やカフスを利用しているために、丈夫で長持ちのする被服に仕立て直すことができる。
【００１６】
特に、シャツの袖を被服の腰紐として利用することにした場合には、比較的長い生地を材取りできるシャツの袖を長さが要求される腰紐として有効に利用することができる。
【００１７】
また、シャツの袖をポケットとして利用することにした場合には、被服に容易にポケットを形成することができる。
【発明を実施するための最良の形態】
【００１８】
以下に、本発明に係る首掛けや肩掛けなどの吊下げ部を有する被服及びその縫製方法について図面を参照しながら具体的に説明する。なお、以下の説明では、吊下げ部を有する被服として、首に掛けて使用する首掛け型のエプロンを例に挙げて説明するが、本発明は、首掛け型のエプロンだけでなく、肩に掛けて使用する肩掛け型のエプロンや、首や肩に引っ掛けて使用する吊下げ部を有する形態のドレスなどの被服に適用することができる。
【００１９】
図１に示すように、本発明に係るエプロン１は、使用者の首に引っ掛ける吊下げ部２と、使用者の胸を被覆する胸当て部３と、使用者の胴体を被覆する前掛け部４と、胸当て部３と前掛け部４との間に介在する連結部５と、使用者の腰で結ぶ左右一対の腰紐6,7とで構成し、前掛け部４に左右のポケット8,9を形成している。
【００２０】
このエプロン１は、図２に示すシャツ10を仕立て直すことによって縫製したものであり、シャツ10の襟11をエプロン１の吊下げ部２として利用し、シャツ10の袖12,13の一部を胸当て部３や腰紐6,7やポケット8,9として利用し、シャツ10の左右の前身頃14,15と後身頃16からなる身頃17を前掛け部４として利用し、シャツ10の襟台18を連結部５として利用している。
【００２１】
このエプロン１の縫製方法について説明すると、まず、シャツ10の左右の袖12,13の基端部分を残して先端部分を図２中に点線で示す位置で切断して、シャツ10から左右の袖12,13を分離するとともに、各袖12,13からカフス19,20を分離し、さらには、シャツ10の襟11を襟台18から分離し、襟台18と左右の前身頃14,15との縫合部分を分離し、左右の前身頃14,15と後身頃16との肩部での縫合部分を分離し、これにより、シャツ10を、襟11と左右の袖12,13とカフス19,20と身頃17とに分離する。なお、各切断部分は、ほつれ防止にかがり縫いしておく。また、ボタン21,22は、取外してもいいし、飾りとして残しておいてもよい。
【００２２】
次に、左右の袖12,13の縫合部分を分離して広げ、その後、一部分を切断して胸当て部３を形成し、また、その他の部分を所望の幅になるように帯状に折畳み、所要部分を縫合して、帯状の腰紐6,7を形成する。なお、１枚の袖12,13を長手方向に複数枚に切断し、それらを繋ぎ合わせて長い帯状の腰紐6,7に形成してもよい。なお、胸当て部３や腰紐6,7は、好みの長さや幅や形状に形成することもできる。
【００２３】
次に、身頃17に残した左右の袖12,13の基端部分の端部（切断部分）を縫合するとともに、身頃17の裏側に折り返して、ポケット8,9を形成する。
【００２４】
次に、身頃17を左右反転させた状態で広げ、身頃17の上端部に襟台18を折り返して縫合し、身頃17の上端部に襟台18で連結部５を形成する。なお、身頃17は、そのまま使用してもよく、また、好みのサイズやデザインに適宜切断して使用してもよい。
【００２５】
そして、身頃17の上端部に形成した連結部５の上部に胸当て部３の下端部を縫合するとともに、胸当て部３の左右上端部に襟11の左右先端部をそれぞれ縫合して吊下げ部２を形成し、また、連結部５の左右端部に腰紐6,7の基端部をそれぞれ縫合する。なお、連結部５と胸当て部３との接続や胸当て部３と吊下げ部２との接続は、縫合により強固に接続してもよく、また、面ファスナーなどを用いて着脱自在に接続してもよい。
【００２６】
このようにして、シャツ10を仕立て直してエプロン１を縫製することができる。なお、本発明では、吊下げ部２としての襟11を胸当て部３を介して前掛け部４としての身頃17に接続した場合に限られず、吊下げ部２としての襟11を前掛け部４としての身頃17に直接接続してもよく、また、図３に示すように、左右の袖12,13から分離したカフス19,20を介して前掛け部４としての身頃17に吊下げ部２としての襟11を接続してもよい。さらに、本発明では、一枚のシャツ10から一枚のエプロン１を形成する場合に限られず、複数枚のシャツ10から分離した襟11や身頃17などを適宜組み合わせて１枚のエプロン１を形成してもよい。また、上記エプロン１では、１枚の襟11を首掛けとして利用しているが、これに限られず、２枚の襟11を左右の肩掛けとして利用し、各襟11の一端部を前掛け部４としての身頃17に直接的に又は胸当て部３やカフス19,20などを介して間接的に接続する一方、各襟11の他端部を前掛け部４としての身頃17に直接的に又はカフス19,20や紐などを介して間接的に接続してエプロン１を形成するようにしてもよい。
【００２７】
以上に説明したように、本発明では、シャツ10の襟11と身頃17とを分離し、左右反転させた身頃17の上部に襟11の左右先端部を直接的に又は胸当て部３やカフス19,20を介して間接的に接続して、シャツ10の身頃17を前掛け部４として利用するとともに襟11やカフス19,20を吊下げ部２として利用した被服に仕立て直している。
【００２８】
このように、本発明では、シャツ10をエプロン１やドレスなどの首掛けや肩掛けなどの吊下げ部２を有する被服に仕立て直すことができ、着古したシャツ10は廃棄せずに資源の有効活用を図ることができ、使用者の気に入ったシャツ10や知人の思い入れがあるシャツ10などの愛着のあるシャツ10を自己の或いは知人の被服としてリサイクルして有効利用することができる。
【００２９】
そして、本発明では、シャツ10をエプロン１やドレスなどの首掛けや肩掛けなどの吊下げ部２を有する被服に仕立て直すにあたり、エプロン１やドレスなどの首掛けや肩掛けなどの吊下げ部２を有する被服の特に強度が要求される吊下げ部２にシャツ10の比較的頑丈に作られている襟11やカフス19,20を利用しているために、丈夫で長持ちのする被服に仕立て直すことができる。
【００３０】
また、本発明では、シャツ10の袖12,13を被服の腰紐6,7として利用することもでき、比較的長い生地を材取りできるシャツ10の袖12,13を長さが要求される腰紐6,7として有効に利用することができる。
【００３１】
また、本発明では、シャツ10の袖12,13をポケット8,9として利用することもでき、被服に容易にポケット8,9を形成することができる。
【図面の簡単な説明】
【００３２】
【図１】エプロンを示す正面図。
【図２】シャツを示す正面図（ａ）及び同背面図（ｂ）。
【図３】エプロンを示す正面図。
【符号の説明】
【００３３】
１  エプロン                          ２  吊下げ部
３  胸当て部                          ４  前掛け部
５  連結部                            6,7  腰紐
8,9  ポケット                         10  シャツ
11  襟                                12,13  袖
14,15  前身頃                         16  後身頃
17  身頃                              18  襟台
19,20  カフス                         21,22  ボタン
【図１】
2009041120.tif 000003
【図２】
2009041120.tif 000004
【図３】
2009041120.tif 000005